(57)【要約】【課題】低いリスクでより確実に新しい人間関係を形成すること。【解決手段】ウェアラブルデバイスとして構成された情報処理装置であって、情報処理装置の装着者の視線と、周囲の他人の視線と、を検出する視線検出手段と、検出された前記装着者の視線及び他人の視線に基づいて、予め定められた基準以上のアイコンタクトを検出するコンタクト検出手段と、アイコンタクトが検出された前記相手の識別情報を取得する相手識別手段と、検出された前記相手とのチャットを、取得された前記識別情報を用いて斡旋する斡旋手段と、を備える。【選択図】図１
2015018489.tif 000002
【特許請求の範囲】
【請求項１】
ウェアラブルデバイスとして構成された情報処理装置であって、
情報処理装置の装着者の視線と、周囲の他人の視線と、を検出する視線検出手段と、
検出された前記装着者の視線及び他人の視線に基づいて、予め定められた基準以上のアイコンタクトを検出するコンタクト検出手段と、
アイコンタクトが検出された前記相手の識別情報を取得する相手識別手段と、
検出された前記相手とのチャットを、取得された前記識別情報を用いて斡旋する斡旋手段と、
を備えたことを特徴とする情報処理装置。
【請求項２】
前記装着者のバイタルサインを取得するバイタル取得手段と、
前記アイコンタクトが前記コンタクト検出手段により検出された後における前記バイタルサインの変化から前記相手への関心度を判定する関心度判定手段と、
を備え、
前記斡旋手段は、判定された前記関心度が予め定められた基準以上ならチャットを斡旋することを特徴とする請求項１記載の情報処理装置。
【請求項３】
前記相手識別手段は、前記アイコンタクトが検出された前記相手が帯びている情報処理装置との近距離無線通信により前記相手の識別情報を取得することを特徴とする請求項１又は２記載の情報処理装置。
【請求項４】
前記相手識別手段は、前記アイコンタクトが検出された位置及び時刻を取得してサーバへ送信することにより前記識別情報を取得することを特徴とする請求項１から３のいずれか一項に記載の情報処理装置。
【請求項５】
ウェアラブルデバイスとして構成され、コンピュータを備えた情報処理装置における情報処理方法であって、
情報処理装置の装着者の視線と、周囲の他人の視線と、を検出する視線検出処理と、
検出された前記装着者の視線及び他人の視線に基づいて、予め定められた基準以上のアイコンタクトを検出するコンタクト検出処理と、
アイコンタクトが検出された前記相手の識別情報を取得する相手識別処理と、
検出された前記相手とのチャットを、取得された前記識別情報を用いて斡旋する斡旋処理と、
をコンピュータが実行することを特徴とする情報処理方法。
【発明の詳細な説明】
【技術分野】
【０００１】
本発明は、情報技術を用いた人間関係の形成に関する。
【背景技術】
【０００２】
近年、リアル世界での知人と、通信ネットワークを介した交流を促進する技術として、ＳＮＳ、及びスマートデバイス（例えば、スマートフォンやタブレットＰＣなど）用のチャットサービスその他が知られている。チャットサービスは、アプリケーションプログラム又はウェブサービスとして提供される（例えば、特許文献１及び非特許文献１参照）。
【先行技術文献】
【特許文献】
【０００３】
【特許文献１】特開２００９−１７６０６６号
【特許文献２】特開２０１０−０８１４８０号
【非特許文献】
【０００４】
【非特許文献１】株式会社カカオジャパン、「カカオトーク  -  KakaoTalk」、［online］、［2013年3月22日検索］、インターネット＜URL:  http://www.kakao.co.jp/＞
【発明の概要】
【発明が解決しようとする課題】
【０００５】
しかし、初対面又は殆ど接点がない相手とは、日常生活において興味を惹かれ目が合うことがあっても、その後特別な機会がない限り、人間関係を形成することは不可能であった。直接話しかけることはもちろん、難しい場合が多く、各種のリスクも大きい。ウェアラブルデバイスにおいて、一定時間以上カメラを見ている顔を不審者と判定する提案はあるが（例えば、特許文献２参照）、人間関係を形成する技術ではなかった。
【０００６】
本発明の目的は、低いリスクでより確実に新しい人間関係を形成することである。
【課題を解決するための手段】
【０００７】
上記の目的をふまえ、本発明の一態様（１）である情報処理装置は、ウェアラブルデバイスとして構成された情報処理装置であって、情報処理装置の装着者の視線と、周囲の他人の視線と、を検出する視線検出手段と、検出された前記装着者の視線及び他人の視線に基づいて、予め定められた基準以上のアイコンタクトを検出するコンタクト検出手段と、アイコンタクトが検出された前記相手の識別情報を取得する相手識別手段と、検出された前記相手とのチャットを、取得された前記識別情報を用いて斡旋する斡旋手段と、を備えたことを特徴とする。
【０００８】
本発明の他の態様（５）である情報処理方法は、上記態様を方法のカテゴリで捉えたもので、ウェアラブルデバイスとして構成され、コンピュータを備えた情報処理装置における情報処理方法であって、情報処理装置の装着者の視線と、周囲の他人の視線と、を検出する視線検出処理と、検出された前記装着者の視線及び他人の視線に基づいて、予め定められた基準以上のアイコンタクトを検出するコンタクト検出処理と、アイコンタクトが検出された前記相手の識別情報を取得する相手識別処理と、検出された前記相手とのチャットを、取得された前記識別情報を用いて斡旋する斡旋処理と、をコンピュータが実行することを特徴とする。
【０００９】
また、本発明の他の態様（２）は、上記いずれかの態様において、前記装着者のバイタルサインを取得するバイタル取得手段と、前記アイコンタクトが前記コンタクト検出手段により検出された後における前記バイタルサインの変化から前記相手への関心度を判定する関心度判定手段と、を備え、前記斡旋手段は、判定された前記関心度が予め定められた基準以上ならチャットを斡旋することを特徴とする。
【００１０】
本発明の他の態様（３）は、上記いずれかの態様において、前記相手識別手段は、前記アイコンタクトが検出された前記相手が帯びている情報処理装置との近距離無線通信により前記相手の識別情報を取得することを特徴とする。
【００１１】
本発明の他の態様（４）は、上記いずれかの態様において、前記相手識別手段は、前記アイコンタクトが検出された位置及び時刻を取得してサーバへ送信することにより前記識別情報を取得することを特徴とする。
【発明の効果】
【００１２】
本発明によれば、低いリスクでより確実に新しい人間関係を形成することができる。
【図面の簡単な説明】
【００１３】
【図１】本発明の実施形態について構成を示す機能ブロック図。
【図２】本発明の実施形態におけるデータの例を示す図。
【図３】本発明の実施形態における処理手順を示すフローチャート。
【図４】本発明の実施形態における画面例を示す図。
【図５】本発明の実施形態における画面例を示す図。
【発明を実施するための形態】
【００１４】
次に、本発明を実施するための形態（「実施形態」と呼ぶ）について図に沿って例示する。なお、背景技術や課題などで既に述べた内容と共通の前提事項は適宜省略する。
【００１５】
〔１．構成〕
図１は、本実施形態における情報処理装置（「本装置１」とも呼ぶ）の構成を示す。本装置１は、ウェアラブルデバイスとして構成されユーザが身につける情報処理装置であって、図示しないヘッドマウントユニット又はその他の部分に設けられたカメラＣを備え、目が合った相手とのチャットを斡旋するものである。
【００１６】
ウェアラブルデバイスとしての具体的な構成は限定されないが、例えば、頭にはめる湾曲部やヘッドパッド、メガネのボディ、各種のベルトやストラップその他を適宜含む。
【００１７】
端末Ｔは、本装置１と連動するスマートデバイス（例えば、スマートフォン、タブレットＰＣその他）であり、メッセンジャーアプリ（例えば、非特許文献１参照）によって実現されるチャット手段Ｋを備えている。多数のユーザが、本装置１を身につけ、かつ端末Ｔを携帯して外出する想定とする。サーバ２は、通信ネットワークＮ（インターネット、携帯電話網など）を介し、本装置１からの照会（後述）に応じるサーバ装置である。
【００１８】
本装置１は、コンピュータの構成すなわち、ＣＰＵなどの演算制御部６と、主メモリや補助記憶装置等の記憶装置７と、通信ネットワークＮとの通信装置８（通信機器や通信アダプタなど）と、を備える。サーバ２及び端末Ｔも、仕様は異なるが同様にコンピュータの構成を有する（図示省略）。本装置１では、記憶装置７に記憶されている図示しないコンピュータプログラムを演算制御部６が実行することで、図１に示す各要素を実現する。
【００１９】
実現される要素のうち、情報の記憶手段は、本装置１内のいわゆるローカル記憶に限らず、ネットワーク・コンピューティング（クラウド）などによるリモート記憶でもよい。また、本出願に示す記憶手段は、説明の便宜に合わせた単位、かつ主なものである。実際の記憶手段は、情報の記憶に付随する入出力や管理などの機能を含んでもよいし、構成の単位を分割または一体化してもよいし、ワークエリアなど他の記憶手段を適宜用いてもよい。
【００２０】
記憶手段のうち、識別情報記憶手段４５は、目が合った相手の識別情報及びそれに関連する情報を記憶する手段である（例えば図２）。
【００２１】
なお、図１及びその他の図中の矢印は、データ又は制御その他の流れの主な方向の例示で、他の流れの否定も方向の限定も意味しない。また、記憶手段以外の各手段は、以下に述べる情報処理の機能又は作用を実現又は実行する処理手段であるが、これら機能又は作用は、専ら説明のための単位で、実際のハードウェア及びソフトウェアの要素との一致は問わない。
【００２２】
〔２．作用〕
図３は、本装置１の動作を示すフローチャートである。図４及び図５は、本実施形態においてチャットを斡旋する画面の例を示す。まず、図３のフローチャートに沿って、一部のステップを省略して、動作の概要を説明する。
【００２３】
〔２−１．概要〕
視線検出手段２０は、カメラＣにより、本装置１の装着者（以下「自分」とも呼ぶ）の視線と、周囲の他人の視線と、を検出する（ステップＳ１１）。視線の検出に用いるカメラＣは、自分の視線用と他人の視線用が別でもよいし、魚眼カメラその他視界の広いカメラで自分と他人の視線を両方検出してもよい。
【００２４】
コンタクト検出手段３０が、視線検出手段２０により検出された装着者の視線及び他人の視線に基づいて、予め定められた基準以上のアイコンタクトすなわち目が合ったことを検出すると（ステップＳ１２：「ＹＥＳ」）、相手識別手段４０が、アイコンタクトが検出された相手の識別情報を取得し（ステップＳ１７又はＳ１８）、識別情報記憶手段４５に記憶させる（図２）。
【００２５】
アイコンタクトの検出は、例えば、既知のアイトラッキング技術を用い、装着者の視線が他人の目に向いていて、かつ、その他人の視線が装着者の目に向いていることを条件とする。アイコンタクトを検出する基準としては、例えば、所定時間（例えば３秒）以上、継続して目が合ったこと、その他が考えられる。
【００２６】
斡旋手段５０は、検出された相手とのチャット（例えば、非特許文献１参照）を、取得され識別情報記憶手段４５に記憶されている識別情報を用いて斡旋する（ステップＳ２０）。
【００２７】
チャットの斡旋は、例えば、識別情報を動作の引数として端末Ｔのチャット手段Ｋを、パケット通信、赤外線通信又は近距離無線通信その他の通信により起動することで行う。識別情報は、例えば、チャットに用いるユーザＩＤその他であり、英数字の文字列などである。プライバシー保護のためにワンタイムすなわち使い捨ての識別情報（例えば、仮ＩＤ）を用いてもよい。以下、上記の説明で省略した他のステップについても説明する。
【００２８】
〔２−２．関心度の判定〕
本実施形態では、チャットの斡旋は、装着者のバイタルサインから判定される相手への関心度が高いことを条件とする。具体的には、目が合ったことが検出されると（ステップＳ１２：「ＹＥＳ」）、バイタル取得手段６０が、装着者のバイタルサイン（例えば、発汗、脈拍、呼吸数、血圧など）を取得する（ステップＳ１３）。
【００２９】
そして、関心度判定手段７０は、アイコンタクトがコンタクト検出手段３０により検出された後におけるバイタルサインの変化を計算し、この変化に基づいて相手への関心度を判定する（ステップＳ１４）。例えば、目が合った後数十秒以内に、バイタルサインの所定の項目が呈した変化率又は変化量が、複数の閾値区分のいずれに属するかで、関心度の程度区分（例えば「強」「弱」など）を判定する。
【００３０】
斡旋手段５０は、判定された関心度が所定基準以上（例えば上記の「強」）なら（ステップＳ１５：「ＹＥＳ」）、チャットを斡旋する（ステップＳ２０）。
【００３１】
〔２−３．識別情報の取得〕
チャットの斡旋に用いる相手の識別情報は、次のように取得される。すなわち、相手識別手段４０は、アイコンタクトが検出された相手が帯びている本装置１との近距離無線通信を試みて応答があれば（ステップＳ１６：「ＹＥＳ」）、近距離無線通信により相手の識別情報を、装着者の識別情報と交換に取得する（ステップＳ１７）。
【００３２】
相手識別手段４０は、近距離無線通信による応答がない場合（ステップＳ１６：「ＮＯ」）、アイコンタクトが検出された位置及び時刻を取得して自分の識別情報と共にサーバ２へ送信することにより相手の識別情報を照会して識別情報を取得する（ステップＳ１８）。この場合、サーバ２は、アイコンタクトの当事者双方の本装置１を照会元として、位置及び時刻がほぼ一致する照会を受信し、その一致を確認のうえ各照会元に他方の識別情報を回答する。
【００３３】
〔２−４．チャットの斡旋〕
図４及び図５は、チャットを斡旋する画面の例である。例えば、昼間、目が合ったユーザの一方が用いている端末Ｔに、夜、図４の画面が表示され、ユーザがボタンＢ４１をタップすると、相手の端末Ｔに図５の画面が表示される。
【００３４】
相手が図５中のボタンＢ５１をタップすると、双方の画面が図示しないチャット画面（図示省略）に遷移し、文字や、スタンプと呼ばれる画像を用いたチャットが可能となる。チャット画面では仮ＩＤが表示され、お互いに納得すれば本来のユーザＩＤを交換する。
【００３５】
〔３．効果〕
（１）以上のように、本実施形態では、常に一緒に行動し周囲をモニタできるウェアラブルデバイスで人の目線を基準に、興味を持った当事者を検出し、通信ネットワークを介したチャットというリスクの少ない間接的なコミュニケーション機会を提供することにより（例えば図４及び図５）、低いリスクでより確実に、新しい人間関係を形成することができる。
【００３６】
（２）また、本実施形態では、装着者のバイタルサインから判定する相手への関心度が高ければ（例えば、図３のステップＳ１５：「ＹＥＳ」）チャットを斡旋することにより（ステップＳ２０）、新しい人間関係が形成される確率を大きくできる。
【００３７】
（３）また、本実施形態では、近距離無線通信により相手の情報処理装置から識別情報を直接取得することにより（例えば、図３のステップＳ１６：「ＹＥＳ」及びＳ１７）、チャットの斡旋を早くでき、通信ネットワーク上を識別情報が移動する際の情報漏洩リスクも最小限化できる。
【００３８】
（４）また、本実施形態では、当事者の情報処理装置がそれぞれアイコンタクトの位置及び時刻をサーバへ送信し、双方の位置及び時刻の照合を基にサーバから相手の識別情報を取得することにより（例えば、図３のステップＳ１８）、近くに偶然位置していた他の情報処理装置と相手の情報処理装置との混同を防止し、高精度なマッチングが可能となる。
【００３９】
〔４．他の実施形態〕
なお、上記実施形態や図の内容は例示に過ぎず、各要素の有無や配置、処理の順序や内容などは適宜変更可能である。このため、本発明は、以下に例示する変形例やそれ以外の他の実施形態も含むものである。
【００４０】
例えば、本装置１と端末Ｔは一体でもよい。また、相手への関心度は、バイタルサインに基づく判断に限らず、目が合った後の装着者の視線その他の要素を基に判断してもよい。また、近距離無線通信による相手の識別情報の取得（ステップＳ１７）に失敗した場合（ステップＳ１９：「ＮＯ」）、識別情報をサーバへ照会（ステップＳ１８）するようにしてもよい。
【００４１】
また、本発明の各態様は、明記しない他のカテゴリ（方法、プログラム、端末を含むシステムなど）としても把握できる。方法やプログラムのカテゴリでは、装置のカテゴリで示した「手段」を「処理」や「ステップ」のように適宜読み替えるものとする。また、「手段」の全部又は任意の一部を「部」（ユニット、セクション、モジュール等）と読み替えることができる。
【００４２】
また、実施形態に示した処理やステップについても、順序を変更したり、いくつかをまとめて実行しもしくは一部分ずつ分けて実行するなど変更可能である。また、個々の手段、処理やステップを実現、実行するハードウェア要素などは共通でもよいし、手段、処理やステップごとにもしくはタイミングごとに異なってもよい。
【００４３】
また、本出願で示す個々の手段は、外部のサーバが提供している機能をＡＰＩ（アプリケーションプログラムインタフェース）やネットワーク・コンピューティング（いわゆるクラウドなど）で呼び出して実現してもよい。さらに、手段などの要素は、コンピュータに限らず、現在のまたは将来登場する他の情報処理機構で実現してもよい。
【符号の説明】
【００４４】
１  情報処理装置（本装置）
２  サーバ
６  演算制御部
７  記憶装置
８  通信装置
２０  視線検出手段
３０  コンタクト検出手段
４０  相手識別手段
４５  識別情報記憶手段
５０  斡旋手段
６０  バイタル取得手段
７０  関心度判定手段
Ｂ４１−Ｂ５１  ボタン
Ｃ  カメラ
Ｋ  チャット手段
Ｎ  通信ネットワーク
Ｔ  端末
【図１】
2015018489.tif 000003
【図２】
2015018489.tif 000004
【図３】
2015018489.tif 000005
【図４】
2015018489.tif 000006
【図５】
2015018489.tif 000007